(57)【要約】【課題】読取部を含むプリント装置全体のフットプリントを小さく抑えられるプリント装置を提供する。【解決手段】プリント装置が、原稿の読み取りを行う読取部２と、シートにプリントを行うプリント部１と、プリント部１の筐体１ａに固定されて上方に向かって延びており読取部２を支持する支柱４，５と、を有する。【選択図】図１
2017039295.tif 000002
【特許請求の範囲】
【請求項１】
原稿の読み取りを行う読取部と、シートにプリントを行うプリント部と、前記プリント部の筐体に固定されて上方に向かって延びており前記読取部を支持する支柱と、を有することを特徴とするプリント装置。
【請求項２】
前記読取部の平面形状は前記プリント部の平面形状よりも小さく、且つ、前記読取部と前記支柱は、前記プリント部の投影領域の内側に位置する、請求項１に記載のプリント装置。
【請求項３】
前記読取部と前記プリント部の間には、少なくとも前記プリント部の給紙部に収納されるロール状のシートの直径よりも大きな間隔が存在する、請求項１または２に記載のプリント装置。
【請求項４】
前記支柱は前記プリント部の前記筐体に対して着脱可能である、請求項１から３のいずれか１項に記載のプリント装置。
【請求項５】
前記読取部は前記支柱に、前記原稿を排出する方向に沿って移動可能に取り付けられている、請求項１から４のいずれか１項に記載のプリント装置。
【請求項６】
前記読取部は、画像の読み取り時には前記排出口が設けられている側に向かって前進した位置にあり、前記画像の読み取り時以外は前記排出口と反対側に後退した位置にある、請求項５に記載のプリント装置。
【請求項７】
前記読取部は前記原稿の挿入口と排出口とを有し、
前記プリント部は、前記シートを給紙する給紙部と、プリント済みの前記シートを排出する排紙口とを有し、
前記読取部の前記挿入口と、前記排出口と、前記プリント部の前記排紙口は、同一方向に向かって開口しており、前記プリント部の排紙口の下方に収納部が設けられている、請求項１から６のいずれか１項に記載のプリント装置。
【請求項８】
前記プリント部の前記筐体の上面の一部は、前記排紙口が設けられている位置に向かって下向きの傾斜面であり、前記読取部の前記排出口は前記傾斜面の上方に位置している、請求項７に記載のプリント装置。
【請求項９】
前記プリント部を支持する装置スタンドをさらに有し、前記収納部は前記装置スタンドの下部に設けられている、請求項７または８に記載のプリント装置。
【発明の詳細な説明】
【技術分野】
【０００１】
本発明はプリント装置に関するものである。
【背景技術】
【０００２】
特許文献１に開示されている大判のプリント装置では、プリント部の上方に原稿画像の読取部が配置されている。このように、プリント部の上方に、広い作業空間を間に挟んで読取部を配置する場合には、上方から平面的に見てプリント部の投影領域（外形輪郭）よりも外側の位置に強度の高い支柱等を設けて、その支柱等によって読取部を支持する構成が一般的である。
【先行技術文献】
【特許文献】
【０００３】
【特許文献１】特開２０１５−３９１２９号公報
【発明の概要】
【発明が解決しようとする課題】
【０００４】
しかし、特許文献１の構成では、平面的に見て読取部がプリント部よりも小さい場合であっても、読取部を支柱等で支持してプリント部の上方に配置するために、プリント装置のフットプリント（設置床面積）が大きくなるという課題がある。
【０００５】
そこで、本発明は、読取部を含むプリント装置全体のフットプリントを小さく抑えられるプリント装置を提供することを目的とする。
【課題を解決するための手段】
【０００６】
上述した課題を解決するために、本発明のプリント装置は、原稿の読み取りを行う読取部と、シートにプリントを行うプリント部と、プリント部の筐体に固定されて上方に向かって延びており読取部を支持する支柱と、を有する。
【発明の効果】
【０００７】
本発明によれば、読取部を支持する支柱がプリント部の外側に設けられていないので、読取部を含むプリント装置全体のフットプリントを小さく抑えられる。
【図面の簡単な説明】
【０００８】
【図１】本発明の第１の実施形態のプリント装置の斜視図である。
【図２】図１に示すプリント装置の模式的な側断面図である。
【図３】図１に示すプリント装置の平面図である。
【図４】図１に示すプリント装置の支柱とその周辺を示す拡大側面図である。
【図５】本発明の第２の実施形態のプリント装置の斜視図である。
【発明を実施するための形態】
【０００９】
以下、本発明の実施形態について図面を参照して説明する。
［第１の実施形態］
図１は本発明の第１の実施形態のプリント装置の斜視図、図２はその模式的な側断面図、図３はその平面図（設置床に対して垂直方向における平面図）である。本実施形態のプリント装置はインクジェット方式のプリンタであり、シートにインクを吐出してプリントを行うプリント部１と、原稿Ｓの画像を読み取る読取部（原稿読取部）２と、を備えている。具体的には、床面に置かれる装置スタンド３によってプリント部１が支持されており、プリント部１の筐体１ａに固定されて上方に延びる支柱４，５が設けられ、これらの支柱４，５によって原稿読取部２が支持されている。装置スタンド３の下部には、読み取り後の原稿Ｓおよびプリント後のシートＰが収納される収納部６が配置されている。従って、このプリント装置は、装置の設置床に対して垂直な鉛直方向の下方から上方に向かって、収納部６、装置スタンド３、プリント部１、支柱４，５、原稿読取部２の順番に位置している。
【００１０】
プリント部１は、筐体１ａと、筐体１ａの上部後方に位置してシートを供給する給紙部１ｂと、筺体１ａの内部に位置するプリントヘッド１ｃと、筐体の前部に位置する排紙口１ｄと、を有している。これらは１つの独立したユニットとして設けられている。給紙部１ｂは、ロール状に巻かれたシートＰを保持して、そのシートＰを少しずつ繰り出してプリントヘッド１ｃに対向する位置に搬送する。プリントヘッド１ｃは、シートＰの搬送方向に直交する幅方向（図３の左右方向）に移動しながらインクをシートに吐出してプリントを行う。排紙口１ｄは、プリントされたシートＰを筐体１ａの外部に排出する出口になる。筐体１ａの上面の前部は、排紙口１ｄが設けられている前端部に向かって下向きの傾斜面１ｅになっている。
【００１１】
原稿読取部２は、筐体２ａと、筐体２ａの内部において原稿Ｓを搬送する搬送部２ｂと、原稿の読み取りを行うスキャナ部２ｃとが、１つの独立したユニットとして設けられている。筐体２ａには、原稿を挿入するための挿入口２ｄと、読み取り後の原稿を排出する排出口２ｅが設けられている。搬送部２ｂは、挿入口２ｄから挿入された原稿を、スキャナ部２ｃに対向する位置を通過させて、略コ字状に搬送して排出口２ｅから排出させる搬送ローラ対２ｆおよび排出ローラ対２ｇを含む。図１，２に示すように、原稿読取部２の排出口２ｅは、プリント部１の鉛直上方に位置し、挿入口２ｄおよびプリント部１の排紙口１ｄと同一方向に向かって開口している。収納部６は、プリント部１の排紙口１ｄの鉛直下方に、シートＰ等が収納される収納口６ａを有している。
プリント部１と原稿読取部２はそれぞれ独立したユニットであるが、ケーブルもしくは無線により電気的に通信可能に接続されており、不図示のコントローラの制御により、ＭＦＰ（マルチファンクションプリンタ）として協働して動作する。
【００１２】
プリント部１と原稿読取部２との間には、プリント部１の給紙部１ｂに収納されるロール状のシートＰの最大直径よりも大きな間隔Ｌ（図２参照）が存在し、広い空間が設けられている。これは、プリント装置の前面に位置するユーザが、給紙部１ｂへのロール状のシートＰの補給や交換を行えるようにするためである。図１には、給紙部１ｂへ補給中または交換中のシートＰが図示されている。
【００１３】
このような構成であるため、プリント部１において、給紙部１ｂから供給されたシートＰは、プリントヘッド１ｃによってプリントされて、排紙口１ｄから排出される。排紙口１ｄから排出されたシートＰは、重力によって落下して収納口６ａから収納部６に収納される。一方、原稿読取部２において、挿入口２ｄから供給された原稿Ｓは、スキャナ部２ｃによって読み取られて、排出口２ｅから排出される。排出口２ｅから排出された原稿Ｓは、重力によって落下してプリント部１の筐体１ａの上面に受け止められる。そして、原稿Ｓは傾斜面１ｅに沿って進み、筐体１の前端部から重力によってさらに落下して、収納口６ａから収納部６に収納される。このように、本実施形態では、特別な機構を必要とせず重力による落下によって、プリント済みのシートＰと読み取り済みの原稿Ｓがいずれも収納部６に収納される。特に、プリント部１の筐体１ａの上面の前部が傾斜面１ｅになっているため、原稿読取部２の排出口２ｅから排出された原稿Ｓが、プリント部１の筐体１ａの上面の傾斜面１ｅに沿って下降して、円滑に収納口６ａから収納部６に収納される。収納部６は装置スタンド３の下部に取り付けられており、スペース効率が良い。
【００１４】
このプリント装置では、ロール状に巻かれたシートＰが給紙部１ｂに収納されている。ロール状に巻かれたシートＰは、消耗品であるため、使用していくうちになくなってしまうので、新たなシートＰを適宜に補給しなければならない。また、サイズや種類が異なるシートＰにプリントしたい時には、ロール状のシートＰを給紙部１ｂから取り外して交換しなければならない。本実施形態のプリント装置ではプリント部１と原稿読取部２との間にロール状のシートＰの最大直径より大きい間隔Ｌ（空間）が設けてあるので、ユーザは、プリント装置の背面側に回り込む必要はなく、前面側からシートＰの補給や交換が可能である。
【００１５】
また、本実施形態では、プリント部１の筐体１ａに固定された支柱４，５によって画像読取部２が支持されている。従って、図３に示すように、設置床に対して垂直な方向から見て平面的に見てプリント部１の投影領域（外形輪郭）の外側に出っ張っているのは、プリント部１を支持する装置スタンド３の一部と、収納部６の一部のみである。収納部６は、読み取り済みの原稿Ｓ及びプリント済みのシートを収納するものである。原稿読取部２とそれを支持する支柱４，５（点線にて図示）は、プリント部１の投影領域（外形輪郭）の内側に位置している。原稿読取部２を支持する支柱４，５は、プリント部１の給紙部１ｂに収納されたロール状に巻かれたシートＰよりも外側であって、プリント部１の筺体１ａの外形線より内側に配置されている。
【００１６】
本実施形態のプリント装置は、概ね、プリント部１、原稿読取部２、装置スタンド３、支柱４，５、および収納部６からなる。プリント部１と原稿読取部２は支柱４，５によって連結されており、支柱４，５は、図４に示すように支柱止めビス１０によってプリント部１の筐体１ａに固定され、画像読取部止めビス１１によって原稿読取部２の筐体２ａに固定されている。
【００１７】
このプリント装置は、前述した全てのユニットが結合した状態で使用されるので、プリント装置の設置時には、通常、設置の現場で組立を行う。仮に、工場出荷時に全てのユニットを組み立てておくと、輸送用の梱包のサイズが非常に大きくなり、輸送費が高くなるため好ましくない。また、例えば原稿読取部２を必要としないユーザのために原稿読取部２をオプションとして販売する場合には、原稿読取部２を予め取り付けておくと無駄になる可能性がある。これらの理由から、本実施形態では、プリント部１に原稿読取部２を結合する作業、すなわち、プリント部１に支柱４，５を取付けて、さらに原稿読取部２を取付けるという作業は、設置先で行う。この作業では、プリント部１の筐体（シャーシ）１ａの両側部に、支柱止めビス１０によって支柱４，５を固定する。次に、原稿読取部２を支柱４，５の上に載せ、原稿読取部止めビス１１によって支柱４，５に固定する。本実施形態では、このようにプリント部１の筐体１ａに直接固定された支柱４，５を用いて原稿読取部２を支持しているため、平面的に見て支柱４，５がプリント部１の投影領域の外側にはみ出さず、内側に収まっている。すなわち、原稿読取部２の平面形状はプリント部１の平面形状よりも小さく、平面的に見て、原稿読取部２と支柱４，５は、プリント部１の投影領域の内側に位置する。従って、原稿読取部２を設けることによってプリント装置全体のフットプリント（設置床面積）が大きくなることが防げる。また、支柱４，５は床面から延びているのではなく、プリント部１の筐体１ａから延びているため、短くて軽い。従って、原稿読取部２を取り付ける際の設置作業性が向上するとともに、製造コストが低く抑えられる。前述したように、プリント部１と原稿読取部２との間にロール状のシートＰの最大直径より大きい間隔Ｌ（空間）が確保されているので、シートＰの交換の作業に支障をきたすことはない。
【００１８】
なお、原稿読取部２を支持する支柱は２本に限られず、１本または３本以上であっても構わない。また、支柱４，５とプリント部１および原稿読取部２との固定方法は、ビス止めに限るものではなく、嵌め込み式等であっても構わない。
【００１９】
支柱４，５は、支柱止めビス１０によって、プリント部１の筐体４，５に対して着脱可能に固定されているため、必要に応じて、支柱止めビス１０を緩めて支柱４，５および原稿読取部２を取り外して、プリンタ部１のみを使用することも可能である。
【００２０】
［第２の実施形態］
図５に示す本発明の第２の実施形態のプリンタは、プリント部１の筐体１ａに逆Ｌ字形の支柱１４，１５が固定されている。そして、この支柱１４，１５に、原稿読取部２が、原稿Ｓの挿入方向および排出方向（矢印方向）に沿って平行移動可能に取り付けられている。それ以外の構成は、第１の実施形態と同様であるため説明を省略する。図５にも、図１と同様に、給紙部１ｂへ補給中または交換中のシートＰが図示されている。
【００２１】
このような構成であるため、本実施形態では、原稿Ｓの読み取り時には原稿読取部２をプリント装置の前面側（排出口２ｅが設けられている側に向かって前進した位置）に配置して、原稿読取部２への原稿Ｓの挿入を容易にすることができる。一方、画像の読み取り時以外、特にロール状に巻かれたシートＰをプリント部１の給紙部１ｂに着脱する時は、原稿読取部２を背面側（排出口２ｅと反対側に後退した位置）に移動させる。それにより、プリント部１の上方の前方側のスペースを広げて、シートＰの着脱のために利用できる作業スペースを広げる。すなわち、使用者は、原稿読取部２にあまり干渉されずにシートＰを給紙部１ｂから取り外しまたは給紙部１ｂに装着することが可能になり、作業がより容易になる。
【００２２】
なお、原稿読取部を移動可能に取り付ける方法は、図示しないレール等を用いるなど、公知のあらゆる方法であってよい。
【００２３】
本発明のプリント装置は、インクジェット方式に限られずあらゆる方式のプリント装置において、プリント部と読取部とを有する装置に広く適用可能である。
【符号の説明】
【００２４】
１      プリント部
１ａ    筐体
１ｂ    給紙部
１ｄ    排紙口
１ｅ    傾斜面
２      読取部（原稿読取部）
２ａ    筐体
２ｄ    挿入口
２ｅ    排出口
３      装置スタンド
４，５  支柱
６      収納部
１４，１５      支柱
Ｓ      原稿
Ｐ      シート
Ｌ      間隔
【図１】
2017039295.tif 000003
【図２】
2017039295.tif 000004
【図３】
2017039295.tif 000005
【図４】
2017039295.tif 000006
【図５】
2017039295.tif 000007